(57)【特許請求の範囲】
【請求項１】
ゲーム機の筐体とこの筐体に閉位置と開位置との間をほぼ水平方向へ回動可能に設けられた扉とのいずれか一方に設けられた第１ロック部材と、上記筐体と上記扉とのいずれか他方に、上記第１ロック部材に係合して上記扉を上記閉位置に位置固定する施錠位置と、上記第１ロック部材との係合が解除して上記扉の上記閉位置から上記開位置側への回動を許容する解錠位置との間を変位可能に設けられた第２ロック部材と、この第２ロック部材に連結された状態で上記他方に上下方向へ移動可能に設けられ、上下いずれか一方向への移動時には上記第２ロック部材を上記施錠位置側から上記解錠位置側に向かって変位させ、他方向への移動時には上記第２ロック部材を上記解錠位置側から上記施錠位置側に向かって変位させる可動部材と、この可動部材に係合位置と解除位置との間を回動可能に設けられた係合部材と、この係合部材を上記解除位置側から上記係合位置側に付勢する付勢手段と、上記一方に設けられ、上記扉の上記開位置側から閉位置側への閉回動に伴って上記係合部材を上記付勢手段の付勢力に抗して上記係合位置から解除位置まで回動させる当接部とを備え、上記係合部材は、上記係合位置に位置しているときには上記他方に係合することによって上記可動部材の上記一方向への移動を阻止し、上記解除位置に位置しているときには上記可動部材の上記一方向への移動を許容するゲーム機の施錠装置において、
上記係合部材には、上記当接部が直接突き当たる突き当たり部が設けられ、上記扉の閉回動時に上記当接部が上記突き当たり部に突き当たることにより、上記係合部材が上記扉の閉回動に伴って上記係合位置から上記解除位置まで回動させられ、
上記係合部材が上記可動部材に上下方向へ移動不能に設けられており、上記係合部材には、上記当接部が上記係合部材を上記係合位置から上記解除位置まで回動させた後、上記扉の閉回動に伴って上記突き当たり部に続いて突き当たるカム部が設けられ、このカム部は、上記当接部と協働して上記可動部材を上記扉の閉回動に伴って上記一方向へ移動させ、上記第２ロック部材を上記施錠位置から上記解錠位置まで変位させ、
上記可動部材を上記他方向へ移動させる移動手段をさらに備え、
上記係合部材には、上記カム部によって上記第２ロック部材が上記解錠位置に変移させられた後、上記当接部が上記カム部に続いて突き当たる保持部が設けられ、この保持部は、上記第２ロック部材が上記解錠位置に変移させられてから上記扉が上記閉位置に達するまでの間、上記当接部に突き当たることにより、上記可動部材が上記他方向へ移動することを阻止し、上記扉が上記閉位置に達すると、上記可動部材が上記移動手段によって上記他方向へ移動させられることを許容することを特徴とするゲーム機の施錠装置。
【請求項２】
ゲーム機の筐体とこの筐体に閉位置と開位置との間をほぼ水平方向へ回動可能に設けられた扉とのいずれか一方に設けられた第１ロック部材と、上記筐体と上記扉とのいずれか他方に、上記第１ロック部材に係合して上記扉を上記閉位置に位置固定する施錠位置と、上記第１ロック部材との係合が解除して上記扉の上記閉位置から上記開位置側への回動を許容する解錠位置との間を変位可能に設けられた第２ロック部材と、この第２ロック部材に連結された状態で上記他方に上下方向へ移動可能に設けられ、上下いずれか一方向への移動時には上記第２ロック部材を上記施錠位置側から上記解錠位置側に向かって変位させ、他方向への移動時には上記第２ロック部材を上記解錠位置側から上記施錠位置側に向かって変位させる可動部材と、この可動部材に係合位置と解除位置との間を回動可能に設けられた係合部材と、この係合部材を上記解除位置側から上記係合位置側に付勢する付勢手段と、上記一方に設けられ、上記扉の上記開位置側から閉位置側への閉回動に伴って上記係合部材を上記付勢手段の付勢力に抗して上記係合位置から解除位置まで回動させる当接部とを備え、上記係合部材は、上記係合位置に位置しているときには上記他方に係合することによって上記可動部材の上記一方向への移動を阻止し、上記解除位置に位置しているときには上記可動部材の上記一方向への移動を許容するゲーム機の施錠装置において、
上記係合部材には、上記当接部が直接突き当たる突き当たり部が設けられ、上記扉の閉回動時に上記当接部が上記突き当たり部に突き当たることにより、上記係合部材が上記扉の閉回動に伴って上記係合位置から上記解除位置まで回動させられ、
上記一方向が上方向で、他方向が下方向であり、上記他方には、上記扉が閉位置に位置しているときに上記当接部を支持する受け部が設けられ、
上記一方に取り付けられる第１取付部材と上記他方に取り付けられる第２取付部材とをさらに備え、
上記第１ロック部材及び上記当接部が上記第１取付部材に設けられ、
上記第２ロック部材、上記可動部材、上記付勢手段及び上記受け部が上記第２取付部材に設けられ、
第２取付部材と上記係合部材とのいずれか一方には係止部が設けられ、他方には、上記係合部材の上記係合位置と上記解除位置との間の回動に伴って上記係止部が相対移動するように挿入され、一端部が上記係止部に突き当たることによって上記係合部材の係合位置を規定し、他端部が上記係止部に突き当たることによって上記係合部材の解除位置を規定する規定凹部と、上記係合部材が上記解除位置に位置しているときに上記可動部材が上記一方向へ移動すると、上記係止部が上記規定凹部から上記可動部材の移動方向へは移動可能に、上記係合部材の回動方向へは移動不能に入り込むガイド凹部が形成されていることを特徴とするゲーム機の施錠装置。
【請求項３】
上記受け部は、上記扉が閉位置に位置しているときのみならず、上記当接部が上記カム部に突き当たってから上記扉が上記閉位置に達するまでの間も上記当接部を支持するように配置されていることを特徴とする請求項２に記載のゲーム機の施錠装置。
【発明の詳細な説明】
【技術分野】
【０００１】
この発明は、パチンコ機やパチスロ機等のゲーム機の扉を閉位置に施錠するための施錠装置に関する。
【背景技術】
【０００２】
一般に、パチスロ機等のゲーム機は、筐体と扉とを備えている。筐体と扉との一側部どうしは、ヒンジを介して水平方向へ回動可能に設けられている。筐体と扉との他側部間には、扉を閉位置に施錠するための施錠装置が設けられている。
【０００３】
施錠装置は、下記特許文献１に記載されているように、筺体に取り付けられる筺体側取付部材と、扉に取り付けられる扉側取付部材とを有している。筺体側取付部材には、施錠位置と解錠位置との間を回動可能に設けられた上下一対の鉤部材（第２ロック部材）、及びこの一対の鉤部材が上下の両端部にそれぞれ連結され、上下に移動することによって一対の鉤部材を回動させる可動部材が設けられている。一方、扉側取付部材には、上下一対のロック部材（第１ロック部材）が設けられている。扉が閉位置に位置した状態において、可動部材を下方へ移動させると、一対の鉤部材が解錠位置から施錠位置に回動して一対のロック部材にそれぞれ係合する。これによって、扉が閉位置に位置固定される。一方、可動部材を上方へ移動させると、一対の鉤部材が施錠位置から解錠位置に回動して鉤部材のロック部材に対する係合が解除される。この結果、扉が閉位置から開位置に向かって回動可能になる。
【０００４】
可動部材には係合部材が設けられている。係合部材は、係合位置と解除位置との間を回動可能であり、係合位置に回動すると、筺体側取付部材に係合して可動部材の上方への移動を阻止し、鉤部材が係合位置から解除位置に回動することを阻止する。これにより、扉が不正に開かれることを防止する。一方、係合部材が解除位置に回動すると、係合部材と筺体側取付部材との係合が解除し、可動部材が上方へ移動可能になる。この結果、鉤部材が施錠位置から解錠位置まで回動可能になる。
【０００５】
また、筺体側取付部材には係合解除部材が回動可能に設けられ、扉側取付部材には当接部が設けられている。扉を閉位置近傍まで回動させると、当接部が係合解除部材に突き当たる。そして、係合解除部材を回動させる。すると、係合解除部材が係合部材に突き当たり、係合部材を係合位置から解除位置まで回動させる。この結果、可動部材が上方へ移動可能になる。扉をさらに回動させると、鉤部材がロック部材に突き当たることにより、施錠位置から解錠位置側へ回動させられる。勿論、ロック部材の回動に伴って可動部材が上方へ移動させられる。扉が閉位置に達すると、可動部材が自重又は付勢手段によって下方へ移動させられ、鉤部材が施錠位置まで回動させられる。この結果、鉤部材がロック部材に係合し、扉が閉位置に位置固定される。
【０００６】
【特許文献１】特許第３１２７２９０号公報
【発明の開示】
【発明が解決しようとする課題】
【０００７】
上記公報に記載の施錠装置においては、扉を閉回動させたときに係合部材を係合位置から解除位置まで回動させために、当接部を係合解除部材に当接させて回動させ、さらに係合解除部材によって係合部材を回動させるという構造が採用されており、係合解除部材を必須としている。この係合解除部材の分だけ施錠装置の部品点数が増え、構造が複雑になって製造費が嵩むという問題があった。
【課題を解決するための手段】
【０００８】
第１の発明は、上記の問題を解決するために、ゲーム機の筐体とこの筐体に閉位置と開位置との間をほぼ水平方向へ回動可能に設けられた扉とのいずれか一方に設けられた第１ロック部材と、上記筐体と上記扉とのいずれか他方に、上記第１ロック部材に係合して上記扉を上記閉位置に位置固定する施錠位置と、上記第１ロック部材との係合が解除して上記扉の上記閉位置から上記開位置側への回動を許容する解錠位置との間を変位可能に設けられた第２ロック部材と、この第２ロック部材に連結された状態で上記他方に上下方向へ移動可能に設けられ、上下いずれか一方向への移動時には上記第２ロック部材を上記施錠位置側から上記解錠位置側に向かって変位させ、他方向への移動時には上記第２ロック部材を上記解錠位置側から上記施錠位置側に向かって変位させる可動部材と、この可動部材に係合位置と解除位置との間を回動可能に設けられた係合部材と、この係合部材を上記解除位置側から上記係合位置側に付勢する付勢手段と、上記一方に設けられ、上記扉の上記開位置側から閉位置側への閉回動に伴って上記係合部材を上記付勢手段の付勢力に抗して上記係合位置から解除位置まで回動させる当接部とを備え、上記係合部材は、上記係合位置に位置しているときには上記他方に係合することによって上記可動部材の上記一方向への移動を阻止し、上記解除位置に位置しているときには上記可動部材の上記一方向への移動を許容するゲーム機の施錠装置において、上記係合部材には、上記当接部が直接突き当たる突き当たり部が設けられ、上記扉の閉回動時に上記当接部が上記突き当たり部に突き当たることにより、上記係合部材が上記扉の閉回動に伴って上記係合位置から上記解除位置まで回動させられ、上記係合部材が上記可動部材に上下方向へ移動不能に設けられており、上記係合部材には、上記当接部が上記係合部材を上記係合位置から上記解除位置まで回動させた後、上記扉の閉回動に伴って上記突き当たり部に続いて突き当たるカム部が設けられ、このカム部は、上記当接部と協働して上記可動部材を上記扉の閉回動に伴って上記一方向へ移動させ、上記第２ロック部材を上記施錠位置から上記解錠位置まで変位させ、上記可動部材を上記他方向へ移動させる移動手段をさらに備え、上記係合部材には、上記カム部によって上記第２ロック部材が上記解錠位置に変移させられた後、上記当接部が上記カム部に続いて突き当たる保持部が設けられ、この保持部は、上記第２ロック部材が上記解錠位置に変移させられてから上記扉が上記閉位置に達するまでの間、上記当接部に突き当たることにより、上記可動部材が上記他方向へ移動することを阻止し、上記扉が上記閉位置に達すると、上記可動部材が上記移動手段によって上記他方向へ移動させられることを許容することを特徴としている。
第２の発明は、上記の問題を解決するために、ゲーム機の筐体とこの筐体に閉位置と開位置との間をほぼ水平方向へ回動可能に設けられた扉とのいずれか一方に設けられた第１ロック部材と、上記筐体と上記扉とのいずれか他方に、上記第１ロック部材に係合して上記扉を上記閉位置に位置固定する施錠位置と、上記第１ロック部材との係合が解除して上記扉の上記閉位置から上記開位置側への回動を許容する解錠位置との間を変位可能に設けられた第２ロック部材と、この第２ロック部材に連結された状態で上記他方に上下方向へ移動可能に設けられ、上下いずれか一方向への移動時には上記第２ロック部材を上記施錠位置側から上記解錠位置側に向かって変位させ、他方向への移動時には上記第２ロック部材を上記解錠位置側から上記施錠位置側に向かって変位させる可動部材と、この可動部材に係合位置と解除位置との間を回動可能に設けられた係合部材と、この係合部材を上記解除位置側から上記係合位置側に付勢する付勢手段と、上記一方に設けられ、上記扉の上記開位置側から閉位置側への閉回動に伴って上記係合部材を上記付勢手段の付勢力に抗して上記係合位置から解除位置まで回動させる当接部とを備え、上記係合部材は、上記係合位置に位置しているときには上記他方に係合することによって上記可動部材の上記一方向への移動を阻止し、上記解除位置に位置しているときには上記可動部材の上記一方向への移動を許容するゲーム機の施錠装置において、上記係合部材には、上記当接部が直接突き当たる突き当たり部が設けられ、上記扉の閉回動時に上記当接部が上記突き当たり部に突き当たることにより、上記係合部材が上記扉の閉回動に伴って上記係合位置から上記解除位置まで回動させられ、上記一方向が上方向で、他方向が下方向であり、上記他方には、上記扉が閉位置に位置しているときに上記当接部を支持する受け部が設けられ、上記一方に取り付けられる第１取付部材と上記他方に取り付けられる第２取付部材とをさらに備え、上記第１ロック部材及び上記当接部が上記第１取付部材に設けられ、上記第２ロック部材、上記可動部材、上記付勢手段及び上記受け部が上記第２取付部材に設けられ、第２取付部材と上記係合部材とのいずれか一方には係止部が設けられ、他方には、上記係合部材の上記係合位置と上記解除位置との間の回動に伴って上記係止部が相対移動するように挿入され、一端部が上記係止部に突き当たることによって上記係合部材の係合位置を規定し、他端部が上記係止部に突き当たることによって上記係合部材の解除位置を規定する規定凹部と、上記係合部材が上記解除位置に位置しているときに上記可動部材が上記一方向へ移動すると、上記係止部が上記規定凹部から上記可動部材の移動方向へは移動可能に、上記係合部材の回動方向へは移動不能に入り込むガイド凹部が形成されていることを特徴としている。
この場合、上記受け部は、上記扉が閉位置に位置しているときのみならず、上記当接部が上記カム部に突き当たってから上記扉が上記閉位置に達するまでの間も上記当接部を支持するように配置されていることが望ましい。
【発明の効果】
【０００９】
上記特徴構成を有するこの発明によれば、当接部が係合部材の突き当たり部に直接突き当たる。そして、それによって係合部材が係合位置から解除位置まで回動させられる。したがって、係合解除部材が不要であり、その分だけ施錠装置の部品点数が減る。よって、施錠装置の構造を簡単にすることができ、その製造費を低減することができる。
【発明を実施するための最良の形態】
【００１０】
以下、この発明を実施するための最良の形態を、添付の図１〜図２４を参照して説明する。
図１は、この発明に係る施錠装置が用いられたパチスロ機（ゲーム機）Ｇを示す。パチスロ機Ｇは、筺体Ａと扉Ｂとを有している。筺体Ａは前面が開口した箱状をなしている。扉Ｂは、背面が開口した深さの浅い箱状をなしている。筺体Ａの前面側の一側部（図１において左側部）には、扉Ｂの背面側の一側部がヒンジ（図示せず）を介して水平方向へ回動可能に支持されている。扉Ｂは、その背面の他側部が筺体Ａの前面の他側部に突き当たって筺体Ａの前面開口部を閉じた閉位置と、この閉位置から所定角度（例えば１１０°程度）だけ離れて筺体Ａの前面開口部を開いた開位置との間を回動可能である。
【００１１】
ここで、この発明において水平方向とは、特に断らない限り、真の水平方向のみならず、水平方向に対して例えば１５°程度傾斜した方向をも含むものとする。上下方向も同様であり、鉛直方向のみならず、鉛直方向に対して１５°程度傾斜した方向をも含む。この実施の形態では、ヒンジの回動軸線（扉Ｂの回動軸）が筺体Ａの前面と平行になっており、筺体Ａの前面は上方へ向かうにしたがって後方に倒れるように若干の角度（例えば１０°程度）だけ傾斜している。したがって、扉Ｂは、筺体Ａの前面の傾斜角度だけ真の水平方向に対して傾斜した方向に回動する。筺体Ａの前面は、鉛直面であってもよい。その場合には、ヒンジの回動軸線が鉛直方向を向き、扉Ｂが真の水平方向へ回動する。
【００１２】
筺体Ａの前面側の他側部（図１において右側部）と扉Ｂの背面側の他側部とには、この発明に係るゲーム機用施錠装置１が設けられている。施錠装置１は、筺体Ａに設けられた筺体側ユニット２と、扉Ｂに設けられた扉側ユニット３とを有している。
【００１３】
筺体側ユニット２は、筺体側取付部材（第２取付部材）４を有している。この筺体側取付部材２は、上下に長い金属製の板材からなるものであり、その長手方向を筺体Ａの前面と平行にした状態で筺体Ａの前面側の他側部内面に固定されている。扉側ユニット３は、扉側取付部材（第１取付部材）５を有している。この扉側取付部材５は、上下に長い金属製の板材を断面略Ｕ字状に折り曲げてなるものであり、その長手方向を扉Ｂの背面と平行にし、かつ開放部を筺体Ａ側に向けた状態で扉Ｂの背面側の他側部内面に固定されている。
【００１４】
図９及び図１１に示すように、扉側取付部材５の上下の両端部には、ローラ６，６（第１ロック部材）が位置固定して設けられている。ローラ６は、扉Ｂが閉位置に位置したとき、その軸線が水平に、しかも左右方向を向くようにして回動可能に設けられている。ローラ６は、回動不能であってもよい。
【００１５】
図３、図４及び図８に示すように、筺体側取付部材４には、可動板（可動部材）７が設けられている。可動板７は、金属製の長い板材からなるものであり、その長手方向を筺体側取付部材２の長手方向と平行にした状態で筺体側取付部材４にその長手方向（上下方向）へ移動可能に設けられている。図２〜図４に示すように、可動板７の上下に両端部には、ピン２１，２１がそれぞれ設けられている。このピン２１，２１は、筐体側取付部材４に設けられた長孔４ｄにそれぞれ上下方向へ移動可能に挿入されている。これにより、可動板７が筐体側取付部材４に上下方向へ移動可能に設けられている。ピン２１が長孔４ｄの下端部に突き当たることにより、可動板７の下方への移動限界位置が定められている。可動板７の下方への移動限界位置は、後述する施錠位置より若干下側に設定されている。ピン２１が長孔４ｄの上端部に突き当たることにより、可動板７の上方への移動限界位置が定められている。可動板７の上方への移動限界位置は、後述する解錠位置より若干上側に定められている。
【００１６】
筺体側取付部材４の上下の両端部には、鉤部材（第２ロック部材）８，８の一端部（筐体Ａの内部側の端部）がそれぞれ固定されている。鉤部材８，８の各他端部（筐体Ａの前方外側に位置する端部）は、筺体側取付部材４の上下の両端部に形成された窓孔４ａ，４ａから前方に突出している。窓孔４ａから前方に突出した鉤部材８の他端部には、下方に向かって開放されたロック凹部８ａが形成されている。なお、可動板７及び鉤部材８は、筺体Ａの他側部内面と対向する筺体側取付部材４の一方の面に沿って配置されている。したがって、可動板７及び鉤部材８の他端部は、筐体Ａ及び筺体側取付部材４によって覆われ、図１では見えなくなっている。また、窓孔４ａの上下方向の長さは、可動板７の上下方向への移動限界位置を制限することがないような長さに設定されている。
【００１７】
可動板７及び鉤部材８は、上下方向へ移動可能であり、下方へはそれらの自重によって移動するようになっている。勿論、可動板７と筐体側取付部材４との間に引っ張りコイルばね等の付勢手段を設け、この付勢手段によって下方へ移動させるようにしてもよい。可動板７及び鉤部材８を自重によって下方へ移動させる場合には、それらの自重（重力）が移動手段であり、付勢手段を用いる場合にはその付勢手段が移動手段である。一方、可動板７及び鉤部材８は、後述するシリンダ錠１１の解錠操作によって上方へ移動させられ、あるいは扉Ｂの閉回動によって自動的に上方へ移動させられるようになっている。
【００１８】
鉤部材８を上方への移動限界位置に位置させた状態で扉Ｂを閉位置に回動させると、鉤部材８のロック凹部８ａがローラ６のほぼ上方に位置し、ロック凹部８ａの開放部がローラ６と対向する。その状態で鉤部材８を下方へ移動させると、ローラ６がロック凹部８ａ内に相対的に入り込む。そして、ローラ６がロック凹部８ａの上底面に突き当たると、それ以上鉤部材８が下方へ移動することができなくなる。このときの鉤部材８（及び可動板７）の位置が施錠位置である。鉤部材８を施錠位置から所定距離だけ上方へ移動させると、ローラ６全体がロック凹部８ａから下方へ脱出する。このときの鉤部材８の位置が解錠位置である。
【００１９】
ローラ６の外径は、ロック凹部８ａの幅とほぼ同一に設定されている。したがって、鉤部材８が施錠位置に移動してローラ６がロック凹部８ａ内に入り込むと、扉Ｂが閉位置から開位置側へ向かって開回動することができなくなり、閉位置に位置固定される。その一方、鉤部材８が施錠位置から解錠位置まで移動すると、ローラ６全体がロック凹部８ａから脱出するので、扉Ｂが閉位置から開回動することができるようになる。
【００２０】
図１〜図８に示すように、筺体側取付部材４の他方の面（筺体Ａの内側を向く面；図１において左側を向く面）側には、係合部材９が配置されている。この係合部材９は、可動板７の長手方向の中間部に左右方向へ水平に延びる軸１０を介して前後方向へ回動可能に、かつ上下方向へ移動不能に連結されている。なお、軸１０は、筺体側取付部材４に形成された長孔４ｂを上下方向へ移動可能に貫通しており、長孔４ｂの上下方向の長さは、鉤部材８の上下方向への移動範囲を制限することがないような長さに設定されている。
【００２１】
図４、図５、図７及び図８に示すように、係合部材９には、規定孔（規定凹部）９ａが形成されている。この規定孔９ａは、係合部材９を貫通しない孔、つまり凹部として形成してもよい。規定孔９ａは、軸１０を中心として円弧状に延びている。一方、筺体側取付部材４には、係合部材９側に向かって突出する係止部４ｃが形成されている。この係止部４ｃは、規定孔９ａに軸１０を中心とする円周方向へ相対移動可能に入り込んでいる。したがって、係合部材９は、その一端部（図５において右端部）に係止部４ｃが突き当たる位置と、他端部に係止部４ｃが突き当たる位置との間を回動可能である。係止部４ｃが係合部材９の一端部に突き当たったときの係合部材９の位置が係合位置であり、係止部４ｃが係合部材９の他端部に突き当たったときの係合部材９の位置が解除位置である。係合部材９は、それと筺体側取付部材４（実際には、筺体側取付部材４に固定された受け部材２０；この受け部材２０については後述する。）との間に設けられた引張りコイルばね（付勢手段）１７によって解除位置から係合位置に向かう方向へ付勢されている。
【００２２】
軸１０を中心とする円の径方向における規定孔９ａの幅と、係止部４ｃの同方向における長さとは、同一に設定されている。したがって、係合部材９が係合位置に位置すると、係合部材９が上下方向へ移動することができなくなり、可動板７及び鉤部材８が上下方向へ移動することができなくなる。この状態のとき、可動部材７及び鉤部材８は、施錠位置に位置している。したがって、可動部材７及び鉤部材８が施錠位置に位置し、かつ係合部材９が係合位置に位置すると、可動部材７及び鉤部材８が施錠位置から解錠位置側へ向かう方向（上方向）のみならず、下方へも移動不能になる。つまり、施錠位置に位置固定される。
【００２３】
係合部材９には、ガイド孔（ガイド凹部）９ｂが形成されている。ガイド孔９ｂは、係合部材９を貫通しない孔、つまり凹部として形成してもよい。ガイド孔９ｂは、規定孔９ａの他端部側（解除位置側）に配置されており、規定孔９ａの下面から下方に向かって延びている。しかも、ガイド孔９ｂの幅は、係止部４ｃの厚さとほぼ同一になっている。したがって、係合部材９が解除位置に位置した状態において、可動板７が施錠位置から解錠位置に向かって上方へ移動すると、係止部４ｃが規定孔９ａからガイド孔９ｂ内に上下方向へ移動可能に入り込む。ガイド孔９ｂは、可動板７及び鉤部材８が解錠位置まで移動することを許容するだけの長さを有している。また、ガイド孔９ｂの幅が係止部４ｃの厚さとほぼ同一であるので、係止部４ｃがガイド孔９ｂに入り込むと、係合部材９が回動不能になり、解除位置に位置固定される。
【００２４】
図１及び図９〜図１７に示すように、扉側ユニット３には、ローラ６及び鉤部材８によって閉位置に維持されている扉Ｂを開回動可能にするための解錠機構が設けられている。すなわち、扉側取付部材５の上下方向の中間部には、錠前としてのシリンダ錠１１が設けられている。特に図１６に示すように、シリンダ錠１１は、扉Ｂが閉位置に位置している状態でも外部からキー操作することができるよう、キー孔１１ａが形成された錠軸１１ｂの基端面が扉Ｂの前面側に露出している。そして、シリンダ錠１１をキー操作することにより、錠軸１１ｂを図１２に示す中立位置から解錠位置まで矢印Ａ方向へ回動させ、あるいは中立位置からリセット位置まで矢印Ｂ方向へ回動させることができる。錠軸１１ｂの先端部は、扉Ｂの背面側に露出しており、当該先端部には、略「く」字状をなす操作部材１２の中央部が固定されている。なお、シリンダ錠１１に代えて他の錠前が用いられることもある。
【００２５】
扉側取付部材５の上下方向の中間部には、解錠操作板１３及びリセット板１４が設けられている。解錠操作板１３及びリセット板１４は、互いに対向した状態で配置されている。解錠操作板１３には、上下に延びるガイド孔１３ａが二つ形成されている。リセット板１４には、上下に延びるガイド孔１４ａが二つ形成されている。そして、一方のガイド孔１３ａ，１４ａを上下方向へ移動可能に貫通して扉側取付部材５に固定されたピン１５、及び他方のガイド孔１３ａ，１４ａを貫通して扉側取付部材５に固定されたピン１５により、解錠操作板１３及びリセット板１４が扉側取付部材５に上下方向へ移動可能に設けられている。
【００２６】
解錠操作板１３とリセット板１４との間には、引っ張りコイルばね１６が設けられている。この引っ張りコイルばね１６の付勢力により、解錠操作板１３が下方に付勢され、ピン１５がガイド孔１３ａの上端部に当接させられている。それと同時に、リセット板１４が上方へ付勢され、ピン１５がガイド孔１４ａの下端部に当接させられている。以下、ピン１５がガイド孔１３ａの上端部に当接しているときの解錠操作板１３の位置、及びピン１５がガイド孔１４ａの下端部に当接しているとのリセット板１４の位置をいずれも初期位置と称する。
【００２７】
図１６に示すように、解錠操作板１３には、下方を向く当接面１３ｂが形成されている。この当接面１３ｂは、錠軸１１ｂが中立位置に位置しているときに、操作部材１２の一端部（図１６において下端部）１２ａが接触している。したがって、錠軸１１ｂを中立位置から解錠位置側へ回動させると、解錠操作板１３が初期位置から上方へ移動する。
【００２８】
解錠操作板１３の下端部には、水平方向に突出する係合片部１３ｃが形成されている。扉Ｂが閉位置に位置し、かつ解錠操作板１３が初期位置に位置しているとき、係合片部１３ｂの上面は、係合部材９の上端部に形成された突出部９ｅの下面に接触している。したがって、解錠操作板１３が初期位置から上方へ移動させられると、係合部材９がまず係合位置から解除位置までコイルばね１７の付勢力に抗して回動させられる。係合部材９は、解除位置に回動するとそれ以上回動することができなくなるので、その後は解錠操作板１３の上方への移動に伴って係合部材９も上方へ移動する。これにより、可動板７及び鉤部材８が施錠位置から解錠位置に向かって移動させられる。シリンダ錠１１を中立位置から図１６の矢印Ａ方向へ最大に回動させ、それによって解錠操作板１３を初期位置から上方へ最大に移動させると、可動板７及び鉤部材８が解錠位置に達する。この結果、鉤部材８のローラ６に対する係合が解除され、扉Ｂが閉位置から開回動可能になる。可動板７及び鉤部材８が解錠位置に位置した状態において、シリンダ錠１１を中立位置に戻すと、可動板７及び鉤部材８がその自重によって解錠位置から施錠位置まで下方へ移動する。それに伴って解錠操作板１３が初期位置まで下方へ移動させられる。この結果、係止部１４ｃがガイド孔９ｂから規定孔９ａに入り込む。すると、係合部材９がコイルばね１７によって解除位置から係合位置まで回動させられる。
【００２９】
リセット板１４の上面には、操作部材１２の他端部（図１６において上端部）１２ｂが接触している。したがって、シリンダ錠１１の錠軸１１ｂを中立からリ矢印Ｂ方向へ最大に回動させると、リセット板１４がコイルばね１６の付勢力に抗して初期位置からリセット位置まで下方へ移動する。これにより、中断していたゲームが再開される。すなわち、扉Ｂが閉位置から所定角度以上開回動したことを、筺体Ａに設けられたセンサ（図示せず）が検出すると、その検出信号に基づいてパチスロ機Ｇのゲームが中断される。その一方、リセット板１４をリセット位置まで下方へ移動させると、扉側取付部材５に設けられたリセットスイッチ１８がＯＮ状態に切り替えられる。これによって、ゲームが再開される。
【００３０】
図１〜図８、特に図５及び図７に示すように係合部材９の前側の下端部には、傾斜面９ｃが形成されている。この傾斜面９ｃは、係合部材９が係合位置と解除位置との間のいずれの位置に位置しているときにも、筺体Ａの手前側から奥側へ向かうにしたがって下方へ向かうように傾斜している。
【００３１】
図９〜図１７、特に図１６に示すように、扉側取付部材５には、当接ローラ（当接部）１９が回動可能に設けられている。当接ローラ１９は、扉Ｂが閉位置に位置しているとき、当接ローラ１９の軸線が左右方向へ水平に延びるように配置されている。当接ローラ１９は、扉Ｂが閉位置から所定角度だけ手前の位置まで閉回動（図１８において矢印方向へ回動）すると、傾斜面９ｃに突き当たるように配置されている（図１９参照）。当接ローラ１９が傾斜面９ｃに突き当たった状態で、扉Ｂをさらに閉回動させると、当接ローラ１９が傾斜面９ｃを筺体Ａの前面側から奥側に向かって押し、係合部材９をコイルばね１７の付勢力に抗して係合位置から解除位置まで回動させる（図２０参照）。
【００３２】
係合部材９は、解除位置に達すると、係止部４ｃが規定孔９ａの他端部（図２０において右端部）に突き当たる結果、それ以上回動することができなくなる。したがって、扉Ｂをさらに閉回動して当接ローラ１９を図２０においてさらに右方へ移動させると、傾斜面９ｃが当接ローラ１９によって上方へ押され、係合部材９が上方へ移動させられる。この結果、可動板７及び鉤部材８がそれらの自重に抗して施錠位置から解錠位置に向かって移動させられる。当接ローラ１９の外周面の最も上側に位置する部分が傾斜面９ｃの下端縁に突き当たったとき、可動板７及び鉤部材８が解錠位置に達している。当接ローラ１９が傾斜面９ｃに突き当たることにより、係合部材９が回動させられ、その後上方へ移動させられることから明らかなように、傾斜面９ｃは、突き当たり部及びカム部として兼用されている。
【００３３】
図５に示すように、係合部材９の下端部には、保持面（保持部）９ｄが設けられている。この保持面９ｄは、傾斜面９ｃの下端から筐体Ａの奥側に向かって延びている。したがって、可動板７及び鉤部材８が解錠位置に達し後、扉Ｂがさらに回動すると、当接ローラ１９上に保持面９ｄが乗る。ここで、保持面９ｄは、係合部材９が解除位置に位置しているときには、水平になっている。したがって、保持面９ｄが当接ローラ１９に乗っているときには、扉Ｂの回動位置に拘わらず可動板７及び鉤部材８の上下方向の位置が一定であり、それらは解錠位置に維持される。
【００３４】
当接ローラ１９の外周面の最も上方に位置する部分が、その移動方向前方側に位置する保持面９ｄの内側の端部を通過すると、当接ローラ１９の移動に伴って係合部材９が下方へ移動可能になる。係合部材９が下方へ移動し、それに伴って可動板７及び鉤部材８がそれらの自重によって解錠位置から施錠位置に向かって僅かに下方へ移動すると、鉤部材８の下面のロック凹部８ａより扉Ｂ側に位置する部分がローラ６の外周面に突き当たる。このため、係合部材９、可動板７及び鉤部材８は、それ以上下方へ移動することができず、一定の位置で停止している（図２２に参照）。
【００３５】
扉Ｂが閉位置に達すると、鉤部材８のロック凹部８ａの開口部がローラ６と上下に対向する。しかも、図２３に示すように、当接ローラ１９全体が保持面９ｄを通過している。したがって、可動板７及び鉤部材８が下方へ移動可能になり、それらは自重によって下方へ移動する。鉤部材８の下方への移動に伴ってローラ６がロック凹部８ａの底面に突き当たると、可動板７及び鉤部材８が施錠位置に達して停止する。これと同時に係止部４ｃがガイド孔９ｂから規定孔９ａ内に入り込む。したがって、係合部材９が解除位置から係合位置に向かって回動可能になり、コイルばね１７によって係合位置まで回動させられる（図２４参照）。この結果、可動板７及び鉤部材８が上下方向へ移動不能になり、施錠位置に位置固定される。
【００３６】
なお、扉Ｂを閉位置から開回動させるためには、上記のように、シリンダ錠１１を開操作（錠軸１１ｂを図１２の矢印Ａ方向へ回動操作）する。すると、解錠操作板１３の係合片部１３ｃが係合部材９の下端部、つまり保持面９ｄを上方へ押す。それにより、係合部材９が係合位置から解除位置まで回動させられた後、可動板７及び鉤部材８が施錠位置から解錠位置に達するまで係合部材９が上方へ移動させられる。これによって、解錠され、扉Ｂが閉位置から開回動可能になる。
【００３７】
図１〜図８、特に図５及び図７に示すように、筺体側取付部材４には、受け部材(受け部)２０が固定されている。受け部材２０は、筺体側取付部材４に一体に設けてもよい。受け部材２０は、前後方向に互いに連なった傾斜部２０ａと水平部２０ｂとを有している。そして、受け部材２０は、傾斜部２０ａが水平部２０ｂより前側に位置するように配置されている。傾斜部２０ｂは、筺体Ａの手前側から奥側へ向かって上り傾斜をなすように傾斜させられている。水平部２０ｂは、傾斜部２０ａの奥側の端部から後方に向かって水平に延びている。水平部２０ｂは、扉Ｂが正規の閉位置に位置しているとき、水平部２０ｂの上面に当接ローラ１９が接するように配置されている。したがって、扉Ｂの扉側ユニット３が設けられた他端部がヒンジによって回動可能に支持された一端部に対して垂れ下がることがないのであれば、当接ローラ１９は、傾斜部２０ａに突き当たることがなく、水平部２０ｂに単に接するだけである。
【００３８】
ところが、ヒンジの製造誤差及び変形や、その他の各部の変形等により、往々にして扉Ｂの他端部は一側部に対して垂れ下がる。このため、図１９に示すように、扉Ｂが閉位置に対して所定の角度だけ手前の位置に達すると、当接ローラ１９が傾斜部２０ａに突き当たる。この実施の形態では、当接ローラ１９によって傾斜面９ｃが上方へ押され、その結果係合部材９、可動板７及び鉤部材８が施錠位置から解錠位置側へ移動させられるようになると、当接ローラ１９が傾斜部２０ａに突き当たるようになっている。この結果、扉Ｂの他端部が、その閉回動に伴って上方へ持ち上げられる。そして、可動板７及び鉤部材８が解錠位置にほぼ達するまで扉Ｂが閉位置側へ回動すると、当接ローラ１９が傾斜部２０ａと水平部２０ｂとの交差部上に乗り上がる。そして、扉Ｂがさらに回動すると、当接ローラ１９が水平部２０ｂ上に乗り上がる。当接ローラ１９は、扉Ｂが閉位置に達した後も水平部２０ｂに乗り上がっている。これにより、閉位置において扉Ｂの他端部が一端部に対して垂れ下がることが防止され、扉Ｂ全体が正規の閉位置に位置させられる。
【００３９】
この発明のゲーム機用施錠装置１においては、当接ローラ１９が、係合部材９の傾斜面９ｃに、係合解除部材を介在させることなく、直接突き当たるようになっている。したがって、係合解除部材が不要であり、その分だけ部品点数が減って施錠装置１の構造を簡単にすることができるとともに、その製造費を低減することができる。
【００４０】
また、当接ローラ１９を受け部材２０と協働して扉Ｂの垂れ下がりを防止するための部材として兼用しているから、受け部材２０と協働して扉Ｂの垂れ下がりを防止するための部材を別途設ける必要がない。したがって、施錠装置１の部品点数を減らして、その製造費をより一層低減することができる。
【００４１】
なお、この発明は、上記の実施の形態に限定されるものでなく、その要旨を逸脱しない範囲において適宜変更可能である。
例えば、上記の実施の形態の筺体側ユニット２を扉Ｂに設け、扉側ユニット３を筺体Ａに設けてもよい。
また、上記の実施の形態においては、可動板７が下方へ移動したときに鉤部材８がローラ６に係合し、上方へ移動したときに鉤部材８のローラ６に対する係合が解除するように構成されているが、可動板７が上方へ移動したときに鉤部材８がローラ６に係合し、下方へ移動したときに係合が解除するようにしてもよい。そのように構成する場合には、鉤部材８のロック凹部８ａが鉤部材８の上面に設けられる。また、引っ張りコイルばね等の付勢手段（移動手段）が筐体側取付部材４と可動板７との間に設けられ、この付勢手段によって可動板７を上方へ移動させて鉤部材８をローラ６に係合させることになる。勿論、当接ローラ１９及び傾斜面９ｃは、可動板７を付勢手段の付勢力に抗して下方へ移動させることになる。
また、上記の実施の形態においては、鉤部材８を独立した部材とし、可動板７に固定しているが、可動板７に一体に設けてもよい。鉤部材８は、上記特許文献１に記載されている施錠装置のように、筺体側取付部材４に回動可能に設けてもよい。その場合には、可動板７と鉤部材９とが回動可能に連結される。
また、可動板７の上下の両端部にローラ６を固定し、鉤部材８を扉Ｂ又は扉側取付部材５に固定してもよい。このようにした場合には、ローラ６が第２ロック部材であり、鉤部材８が第１ロック部材である。
また、当接部として当接ローラ１９が用いられているが、当接ローラ１９に代わる当接部材を扉側取付部材５に回転不能に設けてもよく、当接部を扉側取付部材５に一体に設けてもよい。
さらに、上記の実施の形態においては、筺体側取付部材４に係止部４ｃが設けられ、係合部材９に規定孔９ａ及びガイド孔９ｂが設けられているが、係合部材９に係止部を設け、筺体側取付部材４に規定孔及びガイド孔を設けてもよい。
これらの変形は、発明の要旨を変更しない範囲において適宜組み合わせ可能である。
【図面の簡単な説明】
【００４２】
【図１】この発明に係るゲーム機用施錠装置が用いられたパチスロ機の、一部を透視図した状態で示す斜視図である。
【図２】同施錠装置の筺体側ユニットを示す図であって、図２（Ａ）はその側面図、図２（Ｂ）はその正面図である。
【図３】同筺体側ユニットを示す図であって、図３（Ａ）はその斜視図、図３（Ｂ）は図３（Ａ）と異なる方向から見た斜視図である。
【図４】同筺体側ユニットを示す分解斜視図である。
【図５】同筺体側ユニットの要部を示す側面図である。
【図６】同筺体側ユニットの要部を示す正面図である。
【図７】同筺体側ユニットの要部を示す斜視図である。
【図８】同筺体側ユニットの要部を示す分解斜視図である。
【図９】同施錠装置の扉側ユニットを示す図であって、図９（Ａ）はその一部省略背面図、図９（Ｂ）はその一部省略側面図である。
【図１０】同扉側ユニットを示す図であって、図１０（Ａ）はその斜視図、図１０（Ｂ）は図１０（Ａ）と異なる方向から見た斜視図である。
【図１１】同扉側ユニットを示す分解斜視図である。
【図１２】同扉側ユニットの要部を示す正面図である。
【図１３】同扉側ユニットの要部を示す背面図である。
【図１４】同扉側ユニットの要部を示す左側面図である。
【図１５】同扉側ユニットの要部を示す右側面図である。
【図１６】同扉側ユニットの要部を示す斜視図である。
【図１７】同扉側ユニットの要部を示す分解斜視図である。
【図１８】扉を閉位置から所定角度だけ手前の位置まで回動させたときの筺体側ユニット及び扉側ユニットの各要部を示す側面図である。
【図１９】当接ローラが係合位置に位置している係合部材の傾斜面に突き当たったときの筺体側ユニット及び扉側ユニットの各要部を示す側面図である。
【図２０】係合部材が当接ローラによって係合位置から解除位置に回動させられたときの筺体側ユニット及び扉側ユニットの各要部を示す側面図である。
【図２１】当接ローラに保持面が乗り上がっているときの筺体側ユニット及び扉側ユニットの各要部を示す側面図である。
【図２２】当接ローラの外周面の最も高い部分が保持面を越えたときの筺体側ユニット及び扉側ユニットの各要部を示す側面図である。
【図２３】扉が閉位置に回動したときの筺体側ユニット及び扉側ユニットの各要部を示す側面図である。
【図２４】扉が閉位置に回動し、係合部材が解除位置から係合位置に回動したときの筺体側ユニット及び扉側ユニットの各要部を示す側面図である。
【符号の説明】
【００４３】
Ａ  筺体
Ｂ  扉
Ｇ  パチスロ機（ゲーム機）
１  ゲーム機用施錠装置
４  筺体側取付部材（第２取付部材）
４ｃ  係止部
５  扉側取付部材（第１取付部材）
６  ローラ（ロック部材）
７  可動板（可動部材）
８  鉤部材
９  係合部材
９ａ  規定孔（規定凹部）
９ｂ  ガイド孔（ガイド凹部）
９ｃ  傾斜面（突き当たり部、カム部）
９ｄ  保持面（保持部）
１７  引っ張りコイルばね（付勢手段）
１９  当接ローラ（当接部）
２０  受け部材（受け部）
【図１】
0005173446.tif 000002
【図２】
0005173446.tif 000003
【図３】
0005173446.tif 000004
【図４】
0005173446.tif 000005
【図５】
0005173446.tif 000006
【図６】
0005173446.tif 000007
【図７】
0005173446.tif 000008
【図８】
0005173446.tif 000009
【図９】
0005173446.tif 000010
【図１０】
0005173446.tif 000011
【図１１】
0005173446.tif 000012
【図１２】
0005173446.tif 000013
【図１３】
0005173446.tif 000014
【図１４】
0005173446.tif 000015
【図１５】
0005173446.tif 000016
【図１６】
0005173446.tif 000017
【図１７】
0005173446.tif 000018
【図１８】
0005173446.tif 000019
【図１９】
0005173446.tif 000020
【図２０】
0005173446.tif 000021
【図２１】
0005173446.tif 000022
【図２２】
0005173446.tif 000023
【図２３】
0005173446.tif 000024
【図２４】
0005173446.tif 000025